(57)【要約】【課題】本発明は、移動平均のばらつきを抑えるとともに、各ドットの発光素子の光量のばらつきを小さくすることが出来、記録ヘッドで形成した画像の画像むらを更に低減することを課題とする。【解決手段】発光素子７の光量を均一にするための補正値を各々格納したメモリ８には、補正対象の発光素子７の隣りの発光素子７の補正後の出力値と目標値との誤差Ｓを求め、該誤差Ｓに補正係数Ｋを乗じた誤差値（Ｓ×Ｋ）を前記補正対象の発光素子７の出力値に加算して出力加算値を求め、該出力加算値に１段階若しくは複数段階の補正分解能を加減算して前記目標値に最も近い補正分解能Ｐを選択し、該選択した補正分解能Ｐが前記補正対象の画像素子の補正値として各々記憶されており、前記補正係数Ｋは、０．３＜Ｋ≦１．０に設定したプリントヘッド１を提供する。【選択図】    図２
2004168014.tif 000002
【特許請求の範囲】
【請求項１】
複数個の発光素子と、
該発光素子の光量を均一にするための補正値を各々格納したメモリとを少なくとも有するプリントヘッドにおいて、
前記メモリには、補正対象の発光素子の隣りの発光素子の補正後の出力値と目標値との誤差を求め、該誤差に補正係数Ｋを乗じた誤差値を前記補正対象の発光素子の出力値に加算して出力加算値を求め、該出力加算値に１段階若しくは複数段階の補正分解能を加減算して前記目標値に最も近い補正分解能を選択し、該選択した補正分解能が前記補正対象の画像素子の補正値として各々記憶されており、
前記補正係数Ｋは、０．３＜Ｋ≦１．０に設定されていることを特徴とするプリントヘッド。
【請求項２】
複数個の発光素子と、
該発光素子の光量を均一にするための補正値を各々決定する補正手段とを少なくとも有するプリントヘッドにおいて、
前記補正手段は、補正対象の発光素子の隣りの発光素子の補正後の出力値と目標値との誤差を求め、該誤差に補正係数Ｋを乗じた誤差値を前記補正対象の発光素子の出力値に加算して出力加算値を求め、該出力加算値に１段階若しくは複数段階の補正分解能を加減算して前記目標値に最も近い補正分解能を選択し、該選択した補正分解能を前記補正対象の画像素子の補正値として各々決定するものであり、
前記補正係数Ｋは、０．３＜Ｋ≦１．０に設定されていることを特徴とするプリントヘッド。
【発明の詳細な説明】
【０００１】
【発明の属する技術分野】
本発明は主として電子写真式の複写機やプリンタ等の電子写真装置に用いるプリントヘッドに関するものである。
【０００２】
【従来の技術】
従来、電子写真式の複写機やプリンタ等において感光体上に静電潜像を形成するためのプリントヘッドとしては、プリントヘッドに備えられている制御装置において、各発光素子の露光エネルギーの値に、隣接する発光素子の補正後の露光エネルギーと理想露光エネルギーとの誤差と、前回算出した誤差との和を加算し、加算後の値が理想露光エネルギーを中心として補正分解能の範囲内になるように補正データを決定するプリントヘッドが一般に提供されている（特許文献１参照）。
【０００３】
【特許文献１】
特開２００１−１１３７４９号公報（第３−７頁、第２図、第３図）
【０００４】
【発明が解決しようとする課題】
しかしながら上記従来のプリントヘッドでは、上記のようにして各発光素子の光量を補正することにより、所定数の発光素子を１グループとして１ドットずつグループを移動した場合の各グループの光量の平均値、すなわち移動平均（例えば１０ドットの移動平均）を平坦化することが出来るものの、各ドットの発光素子の光量のばらつきが大きくなるという問題がある。
そして、各ドットの発光素子の光量のばらつきが大きくなると、プリントヘッドで形成した画像に局所的に画像むらが生じるという問題がある。
また、各ドットの発光素子の光量のばらつきが大きい場合に、該発光素子の光量の補正を行なう場合には、補正階調値を増加させる（１段階当たりの補正分解能を小さくし、段階を増加させる）必要が生じるという問題がある。
更に、上記従来のプリントヘッドでは、回路構成が非常に複雑になるため、光量補正の演算処理に時間がかかるという問題があるだけでなく、電子回路が大きくなるという問題がある。
【０００５】
【課題を解決するための手段】
本発明は上記従来の課題を解決するための手段として、請求項１に記載のプリントヘッド（１）  は、複数個の発光素子（７）  と、該発光素子（７）  の光量を均一にするための補正値を各々格納したメモリ（８）  とを少なくとも有するプリントヘッド（１）  において、前記メモリ（８）  には、補正対象の発光素子（７）  の隣りの発光素子（７）  の補正後の出力値と目標値との誤差Ｓを求め、該誤差Ｓに補正係数Ｋを乗じた誤差値（Ｓ×Ｋ）を前記補正対象の発光素子（７）  の出力値に加算して出力加算値を求め、該出力加算値に１段階若しくは複数段階の補正分解能を加減算して前記目標値に最も近い補正分解能Ｐを選択し、該選択した補正分解能Ｐが前記補正対象の画像素子の補正値として各々記憶されており、前記補正係数Ｋは、０．３＜Ｋ≦１．０に設定したものである。
また、請求項２に記載のプリントヘッド（１）  は、複数個の発光素子（７）  と、該発光素子（７）  の光量を均一にするための補正値を各々決定する補正手段（９）  とを少なくとも有するプリントヘッド（１）  において、前記補正手段（９）  は、補正対象の発光素子（７）  の隣りの発光素子（７）  の補正後の出力値と目標値との誤差Ｓを求め、該誤差に補正係数Ｋを乗じた誤差値（Ｓ×Ｋ）を前記補正対象の発光素子（７）  の出力値に加算して出力加算値を求め、該出力加算値に１段階若しくは複数段階の補正分解能を加減算して前記目標値に最も近い補正分解能Ｐを選択し、該選択した補正分解能Ｐを前記補正対象の画像素子の補正値として各々決定するものであり、前記補正係数Ｋは、０．３＜Ｋ≦１．０に設定したものである。
【０００６】
【作用】
本発明では、補正対象の発光素子（７）  の隣りの発光素子（７）  の補正後の光量データ（出力値）と目標値との誤差Ｓに補正係数Ｋを乗じた値（Ｓ×Ｋ）を、発光素子（７）  の光量データに加算して出力加算値を求めた後、補正演算を行なって補正値Ｐを決定して発光素子（７）  の光量を補正する。ここで、補正演算とは、前記出力加算値に１段階若しくは複数段階の補正分解能を加減算して前記目標値に最も近い補正分解能Ｐを選択することをいう。補正分解能Ｐは、例えば１６段階に設定することができる。
このように補正することによって、移動平均のばらつきを抑えるとともに、各ドットの発光素子（７）  の光量のばらつきを小さくすることができる。
また、上記のようにして発光素子（７）  の光量補正をすることにより、補正の演算回路の簡素化が可能となるため、光量補正の演算時間を短縮することができ、更に、電子回路を小さくすることができ、プリントヘッド（１）  のコストを安価にすることができる。
【０００７】
【発明の実施の形態】
（第１実施形態）
本発明を図１〜図６に示す本第１実施形態によって説明する。
図１に示すように、電子写真式の複写機やプリンタ等において感光体上に静電潜像を形成するためのプリントヘッド（１）  は、制御装置（２）  に接続されており、該制御装置（２）  には、発光素子（７）  からの光量を測定するための光量（３）  が接続されている。
【０００８】
該プリントヘッド（１）  は、制御装置（２）  から送られる画像データを前記補正値により補正した補正データを記憶するためのレジスタ（４）  と、制御装置（２）  から信号を受けて前記補正データをラッチするためのラッチ回路（５）  と、制御装置（２）  から信号を受けて発光素子（７）  に電流を送るための複数個のドライバ（６）  と、該ドライバ（６）  からの電流値に応じた光量で発光する複数個の発光素子（７）  と、各発光素子（７）  の光量を均一にするための補正値を記憶したメモリ（８）  とからなる。
【０００９】
前記メモリ（８）  に記憶された補正値について、図２にもとづいて説明する。
例えば、Ｎドット目の発光素子（７）  の光量の補正値を、補正分解能Ｐｎ  ＝５と決定した場合、まず、Ｎドットの発光素子（７）  の補正値５（決定値）と光量の目標値との差（誤差）Ｓｎ  を求める。
【００１０】
そして、上記誤差Ｓｎ  に補正係数Ｋを乗じた値（Ｓｎ  ×Ｋ）を、これから補正値を決定しようとする補正対象であるＮ＋１ドット目の発光素子（７）  の光量データ（出力値）に加算して出力加算値を求める。図２の場合は、Ｐｎ  ＝５と、目標値との差Ｓｎ  の値がマイナス（目標値よりも下にある）であるため、結果的に減算されたものとなっている。
その後、この出力加算値に１段階若しくは複数段階（例えば２又は３）の補正分解能を加減算して前記目標値に最も近い補正分解能Ｐｎ  ＝５を選択する。図２の場合は、１段階（１）の補正分解能を加算することにより、目標値に最も近い値を出すことができたため、補正分解能Ｐｎ＋１  ＝６となり、Ｎ＋１ドット目の発光素子（７）  の補正値は６に決定された。
この場合、該補正係数Ｋは、０．３＜Ｋ≦１．０に設定されていることが望ましく、更に０．５≦Ｋ≦０．８に設定されていることが望ましい。
【００１１】
同様にして、Ｎ＋２番目の補正値は、Ｎ＋１番目の補正値に基づいて求める。この演算を１番目の発光素子（７）  から最後（例えば２５６個目）の発光素子（７）  まで各々繰り返して行うことにより、全ての発光素子（７）  についての補正値を求めることができる。
【００１２】
このようにして求めた補正値に基づいて各発光素子（７）  の光量を補正することにより、移動平均（例えば１０ドットの移動平均）のばらつきを抑えるとともに、各ドットの発光素子（７）  の光量のばらつきを小さくすることができ（図３、図４および図６参照）、プリントヘッド（１）  で形成した画像の画像むらを低減することが可能となる。
また、各ドットの発光素子（７）  の光量のばらつきを小さくすることができるので、補正値自体のばらつきを小さくすることができ、同程度のばらつきの発光素子（７）  の光量の補正をする場合に、補正分解能を少なくすることが可能となる。あるいは、補正分解能値を増加させることなく、ばらつきの大きい発光素子（７）  の光量の補正を行なうことが可能となる。
更に、上記のようにして各発光素子（７）  の光量を均一に補正するための補正値を決定することにより、補正値を求める演算回路の簡素化が可能となり、演算に要する時間を短縮することができるため、電子写真装置の高速化が可能となり、また、電子回路を小さくすることができるため、電子写真装置の小型化およびコストダウンが可能となる。
【００１３】
（第２実施形態）
第１実施形態との相違点についてのみ説明する。
第１実施形態は、図１において、補正手段としての補正演算回路（９）  を有していない場合を説明したが、本第２実施形態は、プリントヘッド（１）  内に補正演算回路（９）  をさらに有するものである。該補正演算回路（９）  は、第１実施形態で説明したのと同じ演算を行い、演算結果である各発光素子（７）  の補正値をメモリ（８）  に記憶し、画像データの補正に使用するものである。本第２実施形態も前記した第１実施形態と同様な効果を奏する。
【００１４】
【実施例】
〔実施例１〕
図３には本発明の一実施例が示される。本実施例では、補正係数Ｋを０．８として各発光素子（７）  の光量の補正値を求めた。すなわち、Ｎドット目の発光素子（７）  の光量の補正において、補正演算を行なって補正分解能Ｐｎ  を決定してＮドットの発光素子（７）  の光量の補正値を決定し、目標値との誤差Ｓｎ  を求め、Ｎ＋１ドット目の発光素子（７）  の光量の補正において、前記誤差Ｓｎ  に補正係数０．８を乗じた値（Ｓｎ  ×０．８）をＮ＋１ドット目の発光素子（７）  の光量のデータ（出力値）に加算し、その後に補正演算を行なって補正分解能Ｐｎ＋１  を決定してＮ＋１ドット目の発光素子（７）  の光量の補正値を求めた。
【００１５】
このようにして求めた補正値に基づいて補正を行なった結果、図３に示すように、１０ドットの移動平均のばらつきを±０．３％以内に抑えるとともに、各ドットの発光素子（７）  の光量のばらつきを±４．０％以内に抑えることができた。
【００１６】
〔実施例２〕
図４には本発明の他の実施例が示される。本実施例では、補正係数Ｋを０．５として各発光素子（７）  の光量の補正値を求めた。すなわち、Ｎドット目の発光素子（７）  の光量の補正において、補正演算を行なって補正分解能Ｐｎ  を決定してＮドットの発光素子（７）  の光量の補正値を決定し、目標値との誤差Ｓｎ  を求め、Ｎ＋１ドット目の発光素子（７）  の光量の補正において、前記誤差Ｓｎ  に補正係数０．５を乗じた値（Ｓｎ  ×０．５）をＮ＋１ドット目の発光素子（７）  の光量のデータ（出力値）に加算し、その後に補正演算を行なって補正分解能Ｐｎ＋１  を決定してＮ＋１ドット目の発光素子（７）  の光量の補正値を求めた。
【００１７】
このようにして求めた補正値に基づいて補正を行なった結果、図４に示すように、１０ドットの移動平均のばらつきを±０．４％以内に抑えるとともに、各ドットの発光素子（７）  の光量のばらつきを±３．０％以内に抑えることが出来た。
【００１８】
〔実施例３〕
図５および図６には本発明の他の実施例が示される。本実施例では、補正係数Ｋを１．０として各発光素子（７）  の光量の補正の補正値を求めた。すなわち、図５に示すように、Ｎドット目の発光素子（７）  の光量の補正において、補正演算を行なって補正分解能Ｐｎ  を決定して、Ｎドット目の発光素子（７）  の光量の補正値を決定し、目標値との誤差Ｓｎ  を求め、Ｎ＋１ドット目の発光素子（７）  の光量の補正において、上記誤差Ｓｎ  に補正係数１．０を乗じた値（Ｓｎ  ×１．０）すなわち誤差Ｓｎ  をＮ＋１ドット目の発光素子（７）  の光量のデータ（出力値）に加算し、その後に補正演算を行なって補正分解能Ｐｎ＋１  を決定して、Ｎ＋１ドット目の発光素子（７）  の光量の補正値を求めた。
【００１９】
このようにして求めた補正値に基づいて補正を行なった結果、図６に示すように、１０ドットの移動平均のばらつきを±０．４％以内に抑えるとともに、各ドットの発光素子（７）  の光量のばらつきを±４．０％以内に抑えることができた。
【００２０】
〔比較例〕
図７には本発明の比較例が示される。比較例では、補正係数Ｋを０．３として各発光素子（７）  の光量のの補正値を求めた。すなわち、Ｎドット目の発光素子（７）  の光量の補正において、補正演算を行なって補正分解能Ｐｎ  を決定してＮドットの発光素子（７）  の光量を補正し、誤差Ｓｎ  を求め、Ｎ＋１ドット目の発光素子（７）  の光量の補正において、前記誤差Ｓｎ  に補正係数０．３を乗じた値（Ｓｎ  ×０．３）をＮ＋１ドット目の発光素子（７）  の光量のデータ（出力値）に加算し、その後に補正演算を行なって補正分解能Ｐｎ＋１  を決定してＮ＋１ドット目の発光素子（７）  の光量の補正値を求めた。
【００２１】
このようにして求めた補正値に基づいて補正を行なうと、図７に示すように、各ドットの発光素子（７）  の光量のばらつきを±３．０％以内に抑えることが出来るものの、１０ドットの移動平均のばらつきが±０．５％以上ばらついてしまうこととなった。
【００２２】
【発明の効果】
本発明のプリントヘッドでは、移動平均のばらつきを抑えるとともに、各ドットの発光素子の光量のばらつきを小さくすることができ、プリントヘッドで形成した画像の画像むらを更に低減することが可能となる。
また、各ドットの発光素子の光量のばらつきを小さくすることができるので、補正値自体のばらつきを小さくすることができ、同程度のばらつきの発光素子の光量の補正をする場合に、補正階調値を少なくすることが可能となる。あるいは、各ドットの発光素子の光量のばらつきを小さくすることが出来るため、補正階調値を増加させることなく、ばらつきの大きい発光素子の光量の補正を行なうことが可能となる。
更に、補正の演算回路の簡素化が可能となり、光量補正の演算時間を短縮することができるため、電子写真装置の高速化が可能となり、また、電子回路を小さくすることができるため、電子写真装置の小型化およびコストダウンが可能となる。
【図面の簡単な説明】
図１〜図６は本発明の実施の形態を示すものである。
【図１】プリントヘッドの概略説明図である。
【図２】発光素子の光量補正の説明図である。
【図３】実施例１における補正後の光量のばらつきを示す説明図である。
【図４】実施例２における補正後の光量のばらつきを示す説明図である。
【図５】実施例３における発光素子の光量補正の説明図である。
【図６】実施例３における補正後の光量のばらつきを示す説明図である。
【図７】比較例における補正後の光量のばらつきを示す説明図である。
【符号の説明】
１            プリントヘッド
２            制御装置
３            光量センサ
４            レジスタ
５            ラッチ回路
６            ドライバ
７            発光素子
８            メモリ
９            補正演算回路（補正手段）
Ｓｎ          目標値との差（誤差）
Ｐｎ          補正分解能
【図１】
2004168014.tif 000003
【図２】
2004168014.tif 000004
【図３】
2004168014.tif 000005
【図４】
2004168014.tif 000006
【図５】
2004168014.tif 000007
【図６】
2004168014.tif 000008
【図７】
2004168014.tif 000009